(57)【要約】【課題】ある給湯先で給湯を行っている最中に他の給湯先で給湯が開始されたとしても、先に給湯を開始していた給湯先での給湯温度の変動を抑え易い貯湯式給湯装置を得ること。【解決手段】貯湯タンク１から第１、第２の給湯先に送湯する給湯管路７に第１、第２の湯水混合弁９ａ，９ｂを設け、各湯水混合弁の開度を制御部１５により制御することで各給湯先での給湯温度を制御する貯湯式給湯装置２０を構成するにあたり、第１の給湯先で給湯が行われている最中に第２の給湯先での給湯を開始するときには、各湯水混合弁に送られる湯および水の温度と、第１の湯水混合弁の下流に配置された流量センサ１１ａの検知結果と、第１の給湯先での給湯温度と、第２の湯水混合弁の起動開度と、各給湯先に同時給湯を行っているときの第１の湯水混合弁の開度と温度センサ１３ｃの検知温度との関係を示す情報とを用いて制御部が第１の湯水混合弁の開度を補正するようにする。【選択図】        図１
2008292020.tif 000002
【特許請求の範囲】
【請求項１】
熱源機で水を加熱して得た湯が貯留される貯湯タンクに第１および第２の副給湯管路を有する給湯管路が接続されていると共に、第１の湯水混合弁が前記第１の副給湯管路中に、第２の湯水混合弁が前記第２の副給湯管路中にそれぞれ設けられ、前記第１の湯水混合弁および前記第２の湯水混合弁それぞれの開度を制御部により制御することで、前記第１の副給湯管路に接続された第１の給湯先での給湯温度と前記第２の副給湯管路に接続された第２の給湯先での給湯温度とを制御する貯湯式給湯装置であって、
前記貯湯タンクから前記給湯管路に供給される前記湯の温度を検知するタンク湯温センサと、
前記給水管路を流れる水の温度を検知する水温センサと、
前記第１および第２の湯水混合弁それぞれの下流に配置されて該部を流れる湯の温度を検知する温度センサと、
前記第１および第２の湯水混合弁それぞれの下流に配置されて該部を流れる湯の流量を検知する流量センサと、
前記制御部に接続されて、該制御部による前記第１および第２の湯水混合弁それぞれの開度の制御内容を指定する情報の入力装置として機能する操作部と、
前記第１および第２の給湯先でそれぞれ給湯を行っているときの前記第１の湯水混合弁の開度と前記第１の湯水混合弁の下流に配置された温度センサの検知温度との関係を示す情報が格納された記憶部と、
を備え、
前記制御部は、前記第１の給湯先で給湯が行われている最中に前記第２の給湯先での給湯を開始するときに、前記タンク湯温センサの検知結果と、前記水温センサの検知結果と、前記第１の湯水混合弁の下流に配置された流量センサの検知結果と、前記操作部により指定された前記第１の給湯先での給湯温度と、前記操作部により指定された前記第２の給湯先での給湯温度に対応する前記第２の湯水混合弁の起動開度と、前記記憶部に格納された前記情報とを用いて、前記第１の給湯先での給湯温度の変動が抑えられるように前記第１の湯水混合弁の開度の補正値を求め、該補正値に基づいて前記第１の湯水混合弁を制御する、
ことを特徴とする貯湯式給湯装置。
【請求項２】
前記記憶部には、前記第１の給湯先で給湯が行われている最中に前記第２の給湯先での給湯を開始するときの前記第２の湯水混合弁の開度の上限値が更に格納されており、
前記第１の給湯先で給湯が行われている最中に前記第２の給湯先での給湯が開始されたとき、前記制御部は、前記上限値と前記操作部により指定された前記第２の給湯先での給湯温度に対応する前記第２の湯水混合弁の起動開度とを比較し、前記起動開度が前記上限値を超えていたときには前記第２の湯水混合弁の開度を前記上限値にして該第２の湯水混合弁を起動させる、
ことを特徴とする請求項１に記載の貯湯式給湯装置。
【請求項３】
前記第１の給湯先はシンクであり、前記第２の給湯先は浴槽であることを特徴とする請求項１または２に記載の貯湯式給湯装置。
【請求項４】
熱源機で水を加熱して得た湯が貯留される貯湯タンクに第１および第２の副給湯管路を有する給湯管路が接続されていると共に、第１の湯水混合弁が前記第１の副給湯管路中に、第２の湯水混合弁が前記第２の副給湯管路中にそれぞれ設けられ、前記第１の湯水混合弁および前記第２の湯水混合弁それぞれの開度を制御部により制御することで、前記第１の副給湯管路に接続された第１の給湯先での給湯温度と前記第２の副給湯管路に接続された第２の給湯先での給湯温度とを制御する貯湯式給湯装置であって、
前記貯湯タンクから前記給湯管路に供給される前記湯の温度を検知するタンク湯温センサと、
前記給水管路を流れる水の温度を検知する水温センサと、
前記第１および第２の湯水混合弁それぞれの下流に配置されて該部を流れる湯の温度を検知する温度センサと、
前記第１および第２の湯水混合弁それぞれの下流に配置されて該部を流れる湯の流量を検知する流量センサと、
前記制御部に接続されて、該制御部による前記第１および第２の湯水混合弁それぞれの開度の制御内容を指定する情報の入力装置として機能する操作部と、
前記第１および第２の給湯先でそれぞれ給湯を行っているときの前記第２の湯水混合弁の開度と前記第２の湯水混合弁の下流に配置された温度センサの検知温度との関係を示す情報が格納された記憶部と、
を備え、
前記制御部は、前記第２の給湯先で給湯が行われている最中に前記第１の給湯先での給湯を開始するときに、前記タンク湯温センサの検知結果と、前記水温センサの検知結果と、前記第２の湯水混合弁の下流に配置された流量センサの検知結果と、前記操作部により指定された前記第２の給湯先での給湯温度と、前記操作部により指定された前記第１の給湯先での給湯温度に対応する前記第１の湯水混合弁の起動開度と、前記記憶部に格納された前記情報とを用いて、前記第２の給湯先での給湯温度の変動が抑えられるように前記第２の湯水混合弁の開度の補正値を求め、該補正値に基づいて前記第２の湯水混合弁を制御する、
ことを特徴とする貯湯式給湯装置。
【請求項５】
前記第１の給湯先はシンクであり、前記第２の給湯先は浴槽であることを特徴とする請求項４に記載の貯湯式給湯装置。
【発明の詳細な説明】
【技術分野】
【０００１】
本発明は、電動式の湯水混合弁を備えた貯湯式給湯装置に関するものである。
【背景技術】
【０００２】
今日では、１台の貯湯式給湯装置から台所や浴室等の複数箇所に給湯することが一般的になってきている。このため、多くの貯湯式給湯装置には、１つの給湯先に１つずつ対応して湯水混合弁および温度センサが設けられると共に、各温度センサによる検知結果を用いて湯水混合弁の開度を別個に制御して個々の給湯先での給湯温度をユーザの設定温度に制御する制御部が設けられる。ただし、たとえ上記の制御部により各湯水混合弁の開度を制御しても、ある給湯先で給湯を行っている最中に他の給湯先で給湯が開始または停止されると、先に給湯を開始していた給湯先での給湯温度が一時的に変動することがある。
【０００３】
このような不具合の発生を抑えるために、例えば特許文献１に記載された貯湯式給湯装置では、第１の混合弁を用いた給湯が行われているときに第２の混合弁を用いた給湯が開始または停止されると、第１の混合弁を用いた給湯の設定温度と第２の混合弁を用いた給湯の設定温度とに基づいて第１の混合弁の開度を自動的に補正している。第１の混合弁を用いた給湯の設定温度と第２の混合弁を用いた給湯の設定温度とに差がないときは上記の補正は行われず、差があるときには、予め求めておいた設定温度差−混合開度補正量のデータと上記２つの設定温度とに基づいて第１の混合弁の開度が補正される。
【０００４】
【特許文献１】特開２００５−１８０８６０号公報
【発明の開示】
【発明が解決しようとする課題】
【０００５】
しかしながら、貯湯式給湯装置に設けられる貯湯タンクは通常１つであるため、例えば台所のシンクに設けられた蛇口から給湯している最中に浴槽の給湯栓が開かれると、蛇口での給湯温度と給湯栓での給湯温度とが互いに同じ温度に設定されていたとしても、貯湯タンクから蛇口用湯水混合弁への送湯量が低下する結果として、蛇口での給湯温度が低くなることがある。特許文献１に記載された貯湯式給湯装置では、このような給湯温度の変動を抑えることができない。第１の給湯先での給湯温度と第２の給湯先での給湯温度が互いに同じ温度であるか否かに拘わらず、先に給湯を開始していた給湯先での給湯量が少ないときには上述のような温度変動が特に起こり易い。
【０００６】
本発明は上記の事情に鑑みてなされたものであり、ある給湯先で給湯を行っている最中に他の給湯先で給湯が開始されたとしても、先に給湯を開始していた給湯先での給湯温度の変動を抑え易い貯湯式給湯装置を得ることを目的とする。
【課題を解決するための手段】
【０００７】
上記の目的を達成する本発明の貯湯式給湯装置は、熱源機で水を加熱して得た湯が貯留される貯湯タンクに第１および第２の副給湯管路を有する給湯管路が接続されていると共に、第１の湯水混合弁が第１の副給湯管路中に、第２の湯水混合弁が第２の副給湯管路中にそれぞれ設けられ、第１の湯水混合弁および第２の湯水混合弁それぞれの開度を制御部により制御することで、第１の副給湯管路に接続された第１の給湯先での給湯温度と第２の副給湯管路に接続された第２の給湯先での給湯温度とを制御する貯湯式給湯装置であって、貯湯タンクから給湯管路に供給される湯の温度を検知するタンク湯温センサと、給水管路を流れる水の温度を検知する水温センサと、第１および第２の湯水混合弁それぞれの下流に配置されて該部を流れる湯の温度を検知する温度センサと、第１および第２の湯水混合弁それぞれの下流に配置されて該部を流れる湯の流量を検知する流量センサと、制御部に接続されて、該制御部による第１および第２の湯水混合弁それぞれの開度の制御内容を指定する情報の入力装置として機能する操作部と、第１および第２の給湯先でそれぞれ給湯を行っているときの第１の湯水混合弁の開度と第１の湯水混合弁の下流に配置された温度センサの検知温度との関係を示す情報が格納された記憶部とを備え、制御部は、第１の給湯先で給湯が行われている最中に第２の給湯先での給湯を開始するときに、タンク湯温センサの検知結果と、水温センサの検知結果と、第１の湯水混合弁の下流に配置された流量センサの検知結果と、操作部により指定された第１の給湯先での給湯温度と、操作部により指定された第２の給湯先での給湯温度に対応する第２の湯水混合弁の起動開度と、記憶部に格納された上記の情報とを用いて、第１の給湯先での給湯温度の変動が抑えられるように第１の湯水混合弁の開度の補正値を求め、該補正値に基づいて第１の湯水混合弁を制御することを特徴とするものである。
【発明の効果】
【０００８】
本発明の貯湯式給湯装置では、第１の給湯先で給湯が行われている最中に第２の給湯先での給湯が開始されると、上述のように、タンク湯温センサの検知結果と、水温センサの検知結果と、第１の湯水混合弁の下流に配置された流量センサの検知結果と、操作部により指定された第１の給湯先での給湯温度と、第２の湯水混合弁の起動開度と、記憶部に格納された所定の情報とを用いて第１の湯水混合弁の開度の補正値を求める。第１の給湯先での給湯量および第２の湯水混合弁の起動開度をそれぞれ考慮して第１の湯水混合弁の開度の補正値を求めるので、例えば特許文献１に記載された貯湯式給湯装置におけるように第１の給湯先での給湯量を考慮することなく第１の湯水混合弁を制御する場合に比べて、先に給湯を開始していた第１の給湯先での給湯温度の変動を抑え易い。
【発明を実施するための最良の形態】
【０００９】
以下、本発明の貯湯式給湯装置の実施の形態について、図面を参照して詳細に説明する。なお、本発明は以下に説明する実施の形態に限定されるものではない。
【００１０】
図１は、貯湯式給湯装置の一例を示す概略図である。同図に示す貯湯式給湯装置２０は、水を加熱して湯にするヒートポンプ等の熱源機（図示せず）が収容された熱源ユニットＡと、熱源機で得た湯が貯留される貯湯タンク１等が収容された貯湯ユニットＢとを備えている。
【００１１】
上記の貯湯ユニットＢ内には、一端が水道等の水源に接続された給水管路３が配設されており、当該給水管路３は途中で２つの副給水管路３ａ，３ｂに分岐している。副給水管路３ａ，３ｂの分岐点の上流側には減圧弁４が設けられて、各副給水管路３ａ，３ｂに流入する水の圧力を調節している。一方の副給水管路３ａの一端は貯湯タンク１の下部に接続されており、他方の副給水管路３ｂは途中で更に２つの副給水管路３ｃ，３ｄに分岐している。貯湯式給湯装置２０の設置後に、貯湯タンク１が満水になるまで当該貯湯タンク１内に副給水管路３ａを介して水が注入される。また、貯湯式給湯装置２０の稼働後においては、消費された湯と同量の水が副給水管路３ａを介して貯湯タンク１に供給されて、当該貯湯タンク１が満水状態に常時保たれる。
【００１２】
貯湯タンク１には、当該貯湯タンク１の下部から熱源機を経て当該貯湯タンク１の上部に至る加熱循環管路５が接続されている。貯湯タンク１内の水は、貯湯タンク１の下部から加熱循環管路５に流入し、熱源機で加熱されて湯になった後に貯湯タンク１の上部から当該貯湯タンク１内に供給される。貯湯式給湯装置２０の稼働時においては、貯湯タンク１の下部に水が滞留し、上部に湯が滞留する。
【００１３】
貯湯タンク１内の湯を所望の給湯先に供給するために、当該貯湯タンク１の上部には給湯管路７の一端が接続されている。この給湯管路７は途中で２つの副給湯管路７ａ，７ｂに分岐しており、分岐点の手前には湯の沸き上げにより生じた膨張水を貯湯ユニットＢの外に排水する逃がし弁８が設けられている。
【００１４】
上記２つの副給湯管路７ａ，７ｂのうちの副給湯管路７ａは第１の給湯先（図示せず）、例えばシンクの蛇口に接続されており、その途中には第１の湯水混合弁９ａと流量センサ１１ａとが上流側からこの順番で配置されている。また、副給湯管路７ｂは第２の給湯先（図示せず）、例えば浴槽用給湯栓に接続されており、その途中には第２の湯水混合弁９ｂと電磁弁１０と流量センサ１１ｂとが上流側からこの順番で配置されている。第１の湯水混合弁９ａには副給水管路３ｃの一端が接続されており、第２の湯水混合弁９ｂには副給水管路３ｄの一端が接続されている。なお、各湯水混合弁９ａ，９ｂは、最低開度のときでも液体が流下できるように構成された電動式のものである。また、図１中の各矢印は、水または湯の流下方向を示している
【００１５】
各給湯先での給湯温度を所定の温度に制御するために、貯湯ユニットＢ内には、熱源機、第１の湯水混合弁９ａ、第２の湯水混合弁９ｂ、および電磁弁１０の動作を制御する制御部１５と、制御部１５による制御で用いられる情報が格納される記憶部１７とが配置されている。また、貯湯ユニットＢの外には、制御部１５に接続されて該制御部１５による第１および第２の湯水混合弁９ａ，９ｂそれぞれの開度の制御内容を指定する情報の入力装置として機能する操作部１９が配置されている。この操作部１９は、制御部１５に有線または無線により接続されて、ユーザにより入力された情報を制御部１５に伝える。図１には１つの操作部１９のみが示されているが、第１および第２の給湯先それぞれに操作部１９を所望数ずつ配置することもできる。
【００１６】
図２は、上述した制御部１５と該制御部１５による制御に関与する構成部材との関係を概略的に示すブロック図である。同図に示すように、制御部１５は、記憶部１７に格納されている情報と、操作部１９から伝えられた制御内容と、各流量センサ１１ａ，１１ｂ、水温センサ１３ａ、タンク湯温センサ１３ｂ、および各温度センサ１３ｃ，１３ｄから収集した検知結果とを用いて、熱源ユニットＡ、第１の湯水混合弁９ａ、第２の湯水混合弁９ｂ、および電磁弁１０の動作を制御する。
【００１７】
上記の情報には、熱源機での湯の沸き上げ温度についての情報や、第１および第２の給湯先それぞれでの給湯温度についての情報が含まれ、これらの情報はユーザが操作部１９を用いて上記の各温度を指定することにより、制御部１５を介して記憶部１７に格納される。また、第１および第２の給湯先のいずれか一方で給湯を行っている最中に他方でも給湯を開始する際の第１または第２の湯水混合弁９ａ，９ｂの起動開度の上限値についての情報や、第１および第２の給湯先でそれぞれ給湯を行っているときの第１の湯水混合弁９ａの開度と第１の湯水混合弁９ａの下流に配置された温度センサ１３ｃの検知温度との関係を示す情報等も記憶部１７に格納される。これらの情報は、例えば貯湯式給湯装置２０のメーカにより記憶部１７に予め格納される。
【００１８】
例えば、ユーザが操作部１９により湯の沸き上げ温度を指定すると、当該温度についての情報は記憶部１７に格納される。制御部１５は、水温センサ１３ａの検知結果とタンク湯温センサ１３ｂの検知結果をそれぞれ周期的に収集し、これらの検知結果と上記沸き上げ温度についての情報とを用いて、熱源ユニットＡに所定の沸き上げ指示を出す。
【００１９】
また、ユーザが操作部１９により第１の給湯先および第２の給湯先それぞれでの給湯温度を指定すると、当該給湯温度についての情報は記憶部１７に格納される。制御部１５は、各流量センサ１１ａ，１１ｂの検知結果を周期的に収集し、これらの検知結果から第１の給湯先または第２の給湯先で給湯が行われていると判断したときには、温度センサ１３ｃまたは温度センサ１３ｄの検知結果を周期的に収集する。そして、給湯が行われている給湯先に対応した温度センサ１３ｃ，１３ｄの検知結果がユーザの設定温度となるように、水温センサ１３ａおよびタンク湯温センサ１３ｂそれぞれの検知結果を基に第１の湯水混合弁９ａまたは第２の湯水混合弁９ｂの開度を制御する。操作部１９を用いてユーザから第２の給湯先での給湯が指示されたときには、上述のようにして第２の湯水混合弁９ｂの開度を制御した後に電磁弁１０を開にする。
【００２０】
制御部１５は、第１の湯水混合弁９ａの動作制御と第２の湯水混合弁９ｂの動作制御とを別々に行うことができる。第１の給湯先および第２の給湯先のどちらか一方で給湯を行っている最中に他方で給湯が開始されるような同時給湯が生じた場合でも、先に給湯を開始していた給湯先での給湯温度がユーザの設定温度からずれないように、第１の湯水混合弁９ａまたは第２の湯水混合弁９ｂの開度を制御する。以下、制御部１５による各給湯先での給湯温度の制御方法について、図１で用いた参照符号を適宜引用しつつ図３を参照して詳述する。
【００２１】
図３は、図１に示した制御部１５による各給湯先での給湯温度の制御方法を概略的に示すフローチャートである。同図に示すように、制御部１５による各給湯先での給湯温度の制御は、ステップＳ１〜Ｓ１９に分けることができる。
【００２２】
ステップＳ１では、第１の湯水混合弁９ａの下流に配置された流量センサ１１ａ（図１参照）の検知結果を基に第１の給湯先で給湯が行われているか否かを制御部１５が判断する。第１の給湯先で給湯が行われていると判断されたときにはステップＳ２に進み、第１の給湯先に対して単独給湯制御、すなわち給湯先が１箇所のみであるときの給湯制御を行う。
【００２３】
次いで、単独給湯制御を継続したままステップＳ３に進み、ユーザが操作部１９（図１参照）を用いて第２の給湯先での給湯の開始を指示したか否かを制御部１５が判断する。第２の給湯先での給湯の開始が指示されていないと判断されたときにはステップＳ４に進み、流量センサ１１ａの検知結果を基に第１の給湯先での給湯が継続されているか否かを制御部１５が判断する。このステップＳ４において第１の給湯先での給湯が継続されていると判断されたときにはステップＳ２に戻り、継続されていないと判断されたときにはリターン、すなわちステップＳ１に戻る。
【００２４】
上記のステップＳ３において第２の給湯先での給湯の開始が指示されたと判断されたときにはステップＳ５に進み、第１の給湯先での給湯温度の変動を抑えるために第１の湯水混合弁９ａ（図１参照）の開度を補正する。この間に、第２の給湯先で給湯が開始される。ステップＳ５での開度の補正は制御部１５による制御の特徴的な部分であるので、後に図４を参照して詳述する。
【００２５】
次いでステップＳ６に進み、流量センサ１１ａ（図１参照）の検知結果を基に第１の給湯先での給湯が継続されているか否かを制御部１５が判断する。第１の給湯先での給湯が継続されていないと判断されたときには後述のステップＳ１２に進み、継続されていると判断されたときにはステップＳ７に進む。
【００２６】
ステップＳ７では、第１の湯水混合弁９ａ（図１参照）に対して同時給湯制御、すなわち給湯先が複数箇所であるときの給湯制御を行う。ステップＳ５で第１の湯水混合弁９ａに対して行われた開度の補正は、同時給湯制御の開始から所定時間経過後に解除される。
【００２７】
この後、上記の同時給湯制御を継続したままステップＳ８に進み、第２の湯水混合弁９ｂの下流に配置された流量センサ１１ｂ（図１参照）の検知結果を基に第２の給湯先で給湯が継続されているか否かを制御部１５が判断する。第２の給湯先で給湯が継続されていないと判断されたときにはステップＳ２に戻り、継続されていると判断されたときにはステップＳ９に進み、第２の湯水混合弁９ｂ（図１参照）に対して同時給湯制御を開始した後にステップＳ６に戻る。
【００２８】
一方、前述のステップＳ１において第１の給湯先での給湯が行われていないと判断されたときにはステップＳ１１に進み、ユーザが操作部１９（図１参照）を用いて第２の給湯先での給湯の開始を指示したか否かを制御部１５が判断する。第２の給湯先での給湯の開始が指示されていないと判断されたときにはリターン、すなわちステップＳ１に戻り、第２の給湯先での給湯の開始が指示されていると判断されたときにはステップＳ１２に進んで、第２の給湯先に対して単独給湯制御、すなわち給湯先が１箇所のみであるときの給湯制御を行う。
【００２９】
次いで、単独給湯制御を継続したままステップＳ１３に進み、第１の湯水混合弁９ａの下流に配置された流量センサ１１ａ（図１参照）の検知結果を基に第１の給湯先で給湯が開始されたか否かを制御部１５が判断する。第１の給湯先で給湯が開始されていないと判断されたときにはステップＳ１４に進み、流量センサ１１ｂの検知結果を基に第２の給湯先での給湯が継続されているか否かを制御部１５が判断する。ステップＳ１４において第２の給湯先での給湯が継続されていると判断されたときにはステップＳ１２に戻り、継続されていないと判断されたときにはリターン、すなわちステップＳ１に戻る。
【００３０】
上記のステップＳ１３において第１の給湯先で給湯が開始されたと判断されたときにはステップＳ１５に進み、第２の給湯先での給湯温度の変動を抑えるために第２の湯水混合弁９ｂ（図１参照）の開度を補正する。この補正は制御部１５による制御の特徴的な部分であるので、後に図５を参照して詳述する。
【００３１】
上記の補正を行った後にステップＳ１６に進み、流量センサ１１ｂ（図１参照）の検知結果を基に第２の給湯先での給湯が継続されているか否かを制御部１５が判断する。第２の給湯先での給湯が継続されていないと判断されたときには前述のステップＳ１２に戻り、継続されていると判断されたときにはステップＳ１７に進む。
【００３２】
ステップＳ１７では、第２の湯水混合弁９ｂの下流に配置された第２の湯水混合弁９ｂ（図１参照）に対して同時給湯制御、すなわち給湯先が複数箇所であるときの給湯制御を行う。ステップＳ１５で第２の湯水混合弁９ｂに対して行われた開度の補正は、同時給湯制御の開始から所定時間経過後に解除される。
【００３３】
この後、上記の同時給湯制御を継続したままステップＳ１８に進み、第１の湯水混合弁９ａの下流に配置された流量センサ１１ａ（図１参照）の検知結果を基に第１の給湯先で給湯が継続されているか否かを制御部１５が判断する。第１の給湯先で給湯が継続されていないと判断されたときにはステップＳ１２に戻り、継続されていると判断されたときにはステップＳ１９に進んで、第１の湯水混合弁９ａ（図１参照）に対して同時給湯制御を開始した後にステップＳ１６に戻る。
【００３４】
このようにして制御部１５が各給湯先での給湯温度を制御する貯湯式給湯装置２０（図１参照）は、上述したステップＳ５，Ｓ１５での第１または第２の湯水混合弁９ａ，９ｂの開度の補正方法に特徴を有しているので、以下、図１で用いた参照符号を適宜引用しつつ図４または図５を参照してステップＳ５，Ｓ１５を詳述する。
【００３５】
図４は、上述したステップＳ５での処理の一例を示すフローチャートである。図示の例では、ステップＳ５が４つのサブステップＳ５ａ〜Ｓ５ｄに分かれている。サブステップＳ５ａでは、水温センサ１３ａの検知結果と、タンク湯温センサ１３ｂの検知結果と、操作部１９（図１参照）によりユーザが指定した第２の給湯先での給湯温度とを用いて、制御部１５が第２の湯水混合弁９ｂ（図１参照）の起動開度を算出する。サブステップＳ５ｂでは、上記起動開度の算出結果と記憶部１７（図１参照）に格納されている上限値とを制御部１５が比較して第２の湯水混合弁９ｂの起動開度を決定し、第２の湯水混合弁９ｂの開度を当該起動開度にした後に電磁弁１０を開にする。その結果として、第２の給湯先での給湯が開始される。
【００３６】
なお、上記の上限値とは、第１および第２の給湯先のいずれか一方で給湯を行っている最中に他方でも給湯を開始する際の第１または第２の湯水混合弁９ａ，９ｂの起動開度の上限値を意味する。当該上限値は、個々の湯水混合弁９ａ，９ｂでの構造上の最大開度とすることもできるし、他の値とすることもできる。この上限値を個々の湯水混合弁９ａ，９ｂでの構造上の最大開度とは異なる値にする場合には、第１の給湯先での給湯温度の変動を抑え易い値に設定することが好ましい。
【００３７】
サブステップＳ５ｃでは、水温センサ１３ａの検知結果と、タンク湯温センサ１３ｂの検知結果と、第１の湯水混合弁９ａの下流に配置された流量センサ１１ａ（図１参照）の検知結果と、操作部１９によりユーザが指定した第１の給湯先での給湯温度と、上記第２の湯水混合弁９ｂの起動開度とを用いて、制御部１５が第１の湯水混合弁９ａ（図１参照）の開度の補正量を算出する。当該補正量の算出方法については、後に図６〜図１０を参照して詳述する。
【００３８】
サブステップＳ５ｄでは、制御部１５が上記の補正量に基づいて第１の湯水混合弁９ａの開度についての補正値を求め、当該補正値に基づいて第１の湯水混合弁９ａの動作を制御し直す。すなわち、現在の開度に上記の補正量を加えた値を補正値として求め、当該補正値に基づいて第１の湯水混合弁９ａの動作を制御し直す。これにより、第２の給湯先よりも先に給湯を行っている第１の給湯先での給湯温度が第２の給湯先での給湯の開始に伴って変動してしまうことが抑えられる。
【００３９】
図５は、前述したステップＳ１５での処理の一例を示すフローチャートである。図示の例では、ステップＳ１５が４つのサブステップＳ１５ａ〜Ｓ１５ｄに分かれている。サブステップＳ１５ａでは、水温センサ１３ａの検知結果と、タンク湯温センサ１３ｂの検知結果と、操作部１９（図１参照）によりユーザが指定した第１の給湯先での給湯温度とを用いて、制御部１５が第１の湯水混合弁９ａ（図１参照）の起動開度を算出する。サブステップＳ１５ｂでは、上記起動開度の算出結果と記憶部１７（図１参照）に格納されている上限値とを制御部１５が比較して第１の湯水混合弁９ａの起動開度を決定し、第１の湯水混合弁９ａの開度を当該起動開度にする。その結果として、第１の給湯先での給湯が開始される。
【００４０】
なお、上記の上限値とは、図４に示したサブステップＳ５ｂについての説明の中で述べた上限値を意味している。この上限値を個々の湯水混合弁９ａ，９ｂでの構造上の最大開度とは異なる値にする場合には、第２の給湯先での給湯温度の変動を抑え易い値に設定することが好ましい。
【００４１】
サブステップＳ１５ｃでは、水温センサ１３ａの検知結果と、タンク湯温センサ１３ｂの検知結果と、第２の湯水混合弁９ｂの下流に配置された流量センサ１１ｂ（図１参照）の検知結果と、ユーザが操作部１９により指定した第２の給湯先での給湯温度と、上記第１の湯水混合弁９ａの起動開度とを用いて、制御部１５が第２の湯水混合弁９ｂ（図１参照）の開度の補正量を算出する。当該補正量の算出方法については、後に図６〜図１０を参照して詳述する。
【００４２】
サブステップＳ１５ｄでは、制御部１５が上記の補正量に基づいて第２の湯水混合弁９ｂの開度についての補正値を求め、当該補正値に基づいて第２の湯水混合弁９ｂの動作を制御し直す。すなわち、現在の開度に上記の補正量を加えた値を補正値として求め、当該補正値に基づいて第２の湯水混合弁９ｂの動作を制御し直す。これにより、第１の給湯先よりも先に給湯を行っている第２の給湯先での給湯温度が第１の給湯先での給湯の開始に伴って変動してしまうことが抑えられる。
【００４３】
以下、図１で用いた参照符号を適宜引用しつつ図６〜図１０を参照して、前述したステップＳ５ｃ（図４参照）および上述したステップＳ１５ｃでの補正量の算出方法について詳述する。
【００４４】
図６は、第１の給湯先に単独給湯を行っているときの第１の湯水混合弁９ａの開度と第１の湯水混合弁９ａの下流に配置された温度センサ１３ｃ（図１参照）の検知温度との関係の一例を示すグラフである。また、図７は、第１の給湯先と第２の給湯先とに同時給湯を行っているときの第１の湯水混合弁９ａの開度と第１の湯水混合弁９ａの下流に配置された温度センサ１３ｃの検知温度との関係の一例を示すグラフである。これらの図に示す第１の湯水混合弁９ａは、その開度を０（零）ステップから１０００ステップまで段階的に制御することができるものである（以下同じ）。
【００４５】
図６から明らかなように、第１の湯水混合弁９ａの開度を０ステップにしたときには水側全開となって、温度センサ１３ｃの検知温度は水温センサ１３ａ（図１参照）の検知温度と略等しくなる。第１の給湯先での単独給湯時に第１の湯水混合弁９ａの開度を大きくしてゆくと、同図中に線分Ｌ１で示すように温度センサ１３ｃの検知温度は略線形に上昇し、第１の湯水混合弁９ａの開度が上限値の１０００ステップになると、温度センサ１３ｃの検知温度はタンク湯温センサ１３ｂ（図１参照）の検知温度と略等しくなる。
【００４６】
一方、第１の給湯先と第２の給湯先とに同時給湯を行うときには、第１の湯水混合弁９ａの開度を仮に一定にしておいても、第１の給湯先での給湯温度は第２の給湯先での給湯温度に応じて変動することがある。換言すれば、温度センサ１３ｃの検知温度は、第２の湯水混合弁９ｂ（図１参照）の開度の大小に応じて変動することがある。
【００４７】
すなわち、第２の給湯先での給湯温度が低いときには第２の湯水混合弁９ｂの開度が小さくなり、当該第２の湯水混合弁９ｂへの水の供給量が増えるので、第１の湯水混合弁９ａへの水の供給量が低下することがある。その結果として、図７中に曲線Ｌ１１〜Ｌ１３で示すように、第１の湯水混合弁９ａの開度が単独給湯時の開度と同じであっても、第１の給湯先での給湯温度がユーザの設定温度よりも一時的に高温になることがある。一方、第２の給湯先での給湯温度が高いときには第２の湯水混合弁９ｂの開度が大きくなり、当該第２の湯水混合弁９ｂへの湯の供給量が増えるので、第１の湯水混合弁９ａへの湯の供給量が低下することがある。その結果として、図７中に曲線Ｌ１５〜Ｌ１７で示すように、第１の湯水混合弁９ａの開度が単独給湯時の開度と同じであっても、第１の給湯先での給湯温度がユーザの設定温度よりも一時的に低温になることがある。
【００４８】
制御部１５は、第１の給湯先に単独給湯を行っているときの第１の湯水混合弁９ａの開度と第１の湯水混合弁９ａの下流に配置された温度センサ１３ｃの検知温度との関係を表す関数のグラフでの傾きの値と、第１の給湯先と第２の給湯先とに同時給湯を行っているときの第１の湯水混合弁９ａの開度と温度センサ１３ｃの検知温度との関係を表す関数のグラフでの複数の近似線それぞれでの傾きの値とを用いて、前述のサブステップＳ５ｃ，Ｓ１５ｃで第１の湯水混合弁９ａの開度の補正量を求める。
【００４９】
そのために、記憶部１７には、第１および第２の給湯先でそれぞれ給湯を行っているときの第１の湯水混合弁９ａの開度と第１の湯水混合弁９ａの下流に配置された温度センサ１３ｃの検知温度との関係を示す情報として、上記複数の近似線それぞれでの傾きの値についての情報が格納される。当該情報に代えて、上記開度と検知温度との関係を示す複数の曲線についての情報と、上記複数の近似線の求め方についての情報と、当該複数の近似線それぞれでの傾きの求め方についての情報とを記憶部１７に格納することもできるし、上記複数の近似線についての情報と、当該複数の近似線それぞれでの傾きの求め方についての情報とを記憶部１７に格納することもできる。
【００５０】
なお、上記単独給湯を行っているときの関数のグラフでの傾きの値については、制御部１５による第１の湯水混合弁９ａの開度の制御内容を所定のものとして、当該値が定数、例えば「１」となるように貯湯式給湯装置２０（図１参照）を構成してよいし、水温センサ１３ａの検知温度と、タンク湯温センサ１３ｂの検知温度と、第１の湯水混合弁９ａでの制御可能な開度の範囲についての情報とを用いて制御部１５が演算により求めてもよい。
【００５１】
例えば、図７に示した各曲線Ｌ１１〜Ｌ１３，Ｌ１５〜Ｌ１７は、図８に示すように、４つの近似線Ｌ２１〜Ｌ２４で近似することができる。ここで、近似線Ｌ２１と近似線Ｌ２３および近似線Ｌ２２と近似線Ｌ２４とは、温度センサ１３ｃの検知温度が線分Ｌ１に対して逆関係にある場合の同じ近似線を示している。なお、図８中に一点鎖線で示す線分Ｌ１は図６に示した線分Ｌ１と同じものである。また、図８中に一点鎖線で示す線分Ｌ３０は線分Ｌ１と線対称の関係にあり、当該線分Ｌ３０は、近似線Ｌ２１と近似線Ｌ２２との接点Ｐ１、および近似線Ｌ２３と近似線Ｌ２４との接点Ｐ２を通っている。図８中の「Ｔｃ」は、接点Ｐ１での温度センサ１３ｃ（図１参照）の検知温度を表している。
【００５２】
同時給湯を行っているときの第１の湯水混合弁９ａの開度と第１の湯水混合弁９ａの下流に配置された温度センサ１３ｃ（図１参照）の検知温度とが図８に示す近似線Ｌ２１で近似される場合、制御部１５は、第１の湯水混合弁９ａの開度についての補正量である補正ステップ数ＳＡを例えば下式（ｉ）
ＳＡ＝［１０００／（ＴＨ−ＴＷ）］・［（ＴＫ−ＴＷ）／Ｄ１］−Ｓ０  …（ｉ）
に基づいて演算する。なお、式（ｉ）中の「ＴＷ」は水温センサ１３ａの検知温度を表し、「ＴＨ」はタンク湯温センサ１３ｂの検知温度を表し、「ＴＫ」はユーザにより指定された第１の給湯先での給湯温度を表している。また、「Ｄ１」は、第１の給湯先での給湯量も加味した近似線Ｌ２１の傾きを表しており、「Ｓ０」は第１の湯水混合弁９ａの現在の開度を示している。
【００５３】
上記の傾きＤ１は、図６に示した線分Ｌ１の傾きα０と、第１の給湯先での給湯量を加味していない近似線Ｌ２１の傾きα１と、第１の副給湯管路７ａの管径等に応じて定まる流量係数Ｅとを用いて、下式（ii）
Ｄ１＝Ｅ（α１−α０）＋α０      …（ii）
により求めることができる。
【００５４】
ここで、上記の傾きα１は、第２の湯水混合弁９ｂの起動開度ＳＦと、第２の湯水混合弁９ｂの構造上の最大開度（ここでは最大開度を「１０００」とする。以下同じ。）とを用いて、下式（iii）
α１＝cos（π・ＳＦ／１０００）＋β      …（iii）
により求めることができる。
【００５５】
また、流量係数Ｅは、第１の湯水混合弁９ａの下流に配置された流量センサ１１ａ（図１参照）により検知される流量ＧＫ（単位はリットル／分）を用いて、下式（iv）
Ｅ＝（ＧＫ−ｎ）２／ｍ＋１      …（iv）
により求めることができる。式（iv）中の「ｎ」，「ｍ」は、それぞれ、給湯管路７（図１参照）での管径等に応じて定まる定数である。流量ＧＫがｎ以上のとき、流量係数Ｅは１とされる。
【００５６】
なお、上記の式（iii）中の「β」は、第２の湯水混合弁９ｂを起動させるときに許容される最大開度に応じて値が変わる変数である。第２の湯水混合弁９ｂの起動時に許容される最大開度は、第２の湯水混合弁９ｂの構造上の最大開度、すなわち１０００ステップとすることもできるし、他の値とすることもできる。第１の給湯先で給湯を行っている最中に第２の給湯先での給湯を開始する場合には、「β」の値が上記の傾きα０と同じ値になるように上記許容される最大開度を設定すると、第１の給湯先での給湯温度の変動を抑え易くなる。
【００５７】
図９は、上述した傾きα１と第２の湯水混合弁９ｂの開度との関係の一例を示すグラフである。同図に示すように、傾きα１は、同時給湯時における第２の湯水混合弁９ｂの開度が小さくなると大きくなり、逆に第２の湯水混合弁９ｂの開度が大きくなると小さくなる。図示の例では、第２の湯水混合弁９ｂの起動時に許容される最大開度が５００ステップに設定されており、このときの傾きα１が図６に示した線分Ｌ１の傾きα０と同じ値である「１」になるようにβが設定されている。すなわち、βの値が「１」に設定されている。
【００５８】
図１０は、流量係数Ｅと流量センサ１１ａ（図１参照）により検知される流量との関係の一例を示すグラフである。同図に示す例は、式（iv）中の「ｎ」が「１５」で、「ｍ」が「５０」であるときの流量係数Ｅと流量との関係を示している。
【００５９】
一方、同時給湯を行っているときの第１の湯水混合弁９ａの開度と第１の湯水混合弁９ａの下流に配置された温度センサ１３ｃ（図１参照）の検知温度とが図８に示す近似線Ｌ２２で近似される場合、制御部１５は、第１の湯水混合弁９ａの開度についての補正量である補正ステップ数ＳＢを例えば下式（ｖ）
ＳＢ＝［１０００／（ＴＨ−ＴＷ）］・Ｄ２・（ＴＫ−ＴＷ）＋１０００−Ｓ０  …（ｖ）
に基づいて演算する。なお、式（ｖ）中の「ＴＷ」は水温センサ１３ａの検知温度を表し、「ＴＨ」はタンク湯温センサ１３ｂの検知温度を表し、「ＴＫ」はユーザにより指定された第１の給湯先での給湯温度を表している。また、「Ｓ０」は第１の湯水混合弁の現在の開度を示している。
【００６０】
ここで、上記の式（ｖ）中の「Ｄ２」は、第１の給湯先での給湯量も加味した近似線Ｌ２２の傾きを表しており、当該傾きＤ２は、図６に示した線分Ｌ１の傾きα０と、第１の給湯先での給湯量を加味していない線分Ｌ２３の傾きα２と、第１の副給湯管路７ａの管径等に応じて定まる流量係数Ｅとを用いて、下式（iv）
Ｄ２＝Ｅ（α２−α０）＋α０      …（iv）
により求めることができる。
【００６１】
そして、上記の傾きα２は、図８に示したＴｃが下式（iiv）
Ｔｃ＝（Ｄ２×ＴＨ＋ＴＷ）／（１＋Ｄ２）      …（iiv）
で表されることと、第１の湯水混合弁９ａの開度が１０００ステップのときの温度センサ１３ｃの検知温度がタンク湯温センサの検知温度ＴＨであることとから、算出することができる。なお、傾きＤ１は近似線Ｌ２１の傾きを示しており、近似線Ｌ２３は第２の湯水混合弁９ｂの開度が大きくなった場合の曲線Ｌ１５〜Ｌ１７の近似線であり、傾きＤ１が第２の湯水混合弁９ｂの開度によって変化するため、図８では、例として２本引いているものであり、近似線Ｌ２１と近似線Ｌ２３の補正ステップ数ＳＡは同様の演算式で求められる。また、同様に近似線Ｌ２２と近似線Ｌ２４の補正ステップ数ＳＢも同様の演算式で求められる。
【００６２】
図６〜図１０を参照して行った上述の説明から明らかなように、図４に示したサブステップＳ５ｃでの補正量の算出は、水温センサ１３ａの検知結果（検知温度ＴＷ）、タンク湯温センサ１３ｂの検知結果（検知温度ＴＨ）、第１の湯水混合弁９ａの下流に配置された流量センサ１１ａの検知結果（検知流量）、操作部１９により指定された第１の給湯先での給湯温度ＴＫと、操作部１９により指定された第２の給湯先での給湯温度に対応する第２の湯水混合弁９ｂの起動開度と、記憶部１７に格納された前述の情報とを用いて行うことができる。
【００６３】
なお、図４に示したサブステップＳ５ｃでの補正量の算出は、上述した補正量の算出と同様の思想の下に、水温センサ１３ａの検知結果（検知温度ＴＷ）、タンク湯温センサ１３ｂの検知結果（検知温度ＴＨ）、第２の湯水混合弁９ｂの下流に配置された流量センサ１１ｂの検知結果（検知流量）、操作部１９により指定された第２の給湯先での給湯温度と、操作部１９により指定された第１の給湯先での給湯温度に対応する第１の湯水混合弁９ａの起動開度と、記憶部１７に格納された情報とを用いて行うことができる。
【００６４】
この場合、記憶部１７には、第１および第２の給湯先でそれぞれ給湯を行っているときの第２の湯水混合弁９ｂの開度と第２の湯水混合弁９ｂの下流に配置された温度センサ１３ｄの検知温度との関係を示す情報として、図８に示した複数の近似線に相当する複数の近似線それぞれでの傾きの値についての情報が格納される。当該情報に代えて、上記開度と検知温度との関係を示す複数の曲線についての情報と、図８に示した複数の近似線に相当する複数の近似線の求め方についての情報と、当該複数の近似線それぞれでの傾きの求め方についての情報とを記憶部１７に格納することもできるし、図８に示した複数の近似線に相当する近似線についての情報と、当該複数の近似線それぞれでの傾きの求め方についての情報とを記憶部１７に格納することもできる。
【００６５】
上述のように、貯湯式給湯装置２０（図１参照）では、第１の給湯先での給湯量および第２の湯水混合弁９ｂの起動開度をそれぞれ考慮して制御部１５が第１の湯水混合弁９ａの開度の補正値を求めるので、例えば特許文献１に記載された貯湯式給湯装置におけるように第１の給湯先での給湯量を考慮することなく第１の湯水混合弁を制御する場合に比べて、先に給湯を開始していた第１の給湯先での給湯温度の変動を抑え易い。同様に、第２の給湯先での給湯量および第１の湯水混合弁９ａの起動開度をそれぞれ考慮して制御部１５が第２の湯水混合弁９ｂの開度の補正値を求めるので、先に給湯を開始していた第２の給湯先での給湯温度の変動を抑え易い。
【００６６】
以上、本発明の貯湯式給湯装置について実施の形態を挙げて説明したが、前述のように、本発明は上述の形態に限定されるものではない。例えば、上述した貯湯式給湯装置２０は貯湯ユニットＢの外部に熱源ユニットＡを備えたタイプのものであるが、本発明の貯湯式給湯装置は複数箇所に同時給湯を行うことができる他のタイプのもの、例えば貯湯タンク１（図１参照）内にヒータ等の熱源機を備えたタイプのものであってもよい。
【００６７】
また、ある給湯先で給湯を行っている最中に他の給湯先で給湯が開始されたときの湯水混合弁の開度についての補正は、複数の給湯箇所の全てについて行わなければならないというものではなく、本発明の貯湯式給湯装置では少なくとも１箇所において行うように構成されていればよい。例えば、シンクの蛇口のように人体に直接出湯する機会の多い給湯先に対応した湯水混合弁については、その開度を前述のようにして補正し、浴槽への湯張りや差し湯に用いられる給湯栓のように人体に直接出湯する機会の少ない給湯先に対応した湯水混合弁については、その開度を補正しないように、本発明の貯湯式給湯装置を構成することもできる。
【００６８】
湯水混合弁の開度についての補正は、先に給湯を開始していた給湯先での給湯量と後から給湯を開始する給湯先に対応する湯水混合弁の起動開度とを考慮して、上記先に給湯を開始していた給湯先に対応する湯水混合弁の開度を補正するものあれば、実施の形態で説明した方法以外の方法で行ってもよい。
【００６９】
例えば、先に給湯を開始していた給湯先に対応する湯水混合弁の開度についての補正量を求めることなく、下式（iiiv）や下式（ix）
ＳＣ＝［１０００／（ＴＨ−ＴＷ）］・［（ＴＫ−ＴＷ）／Ｄ１］      …（iiiv）
ＳＤ＝［１０００／（ＴＨ−ＴＷ）］・Ｄ２・（ＴＫ−ＴＷ）＋１０００  …（ix）
により、開度の補正値を直接求めることも可能である。
【００７０】
上記の式（iiiv）で表される補正後の開度は、前述の式（ｉ）で表される補正ステップ数ＳＡと第１の湯水混合弁９ａの現在の開度Ｓ０との和に相当し、上記の式（ix）で表される補正後の開度は、前述の式（ｖ）で表される補正ステップ数ＳＢと第１の湯水混合弁９ａの現在の開度Ｓ０との和に相当する。本発明の貯湯式給湯装置については、上述したもの以外にも種々の変形、修飾、組み合わせ等が可能である。
【図面の簡単な説明】
【００７１】
【図１】本発明の貯湯式給湯装置の一例を示す概略図である。
【図２】図１に示した貯湯式給湯装置を構成している制御部と該制御部による制御に関与する構成部材との関係を概略的に示すブロック図である。
【図３】図１に示した貯湯式給湯装置を構成している制御部による各給湯先での給湯温度の制御方法を概略的に示すフローチャートである。
【図４】図３に示したステップＳ５での処理の一例を示すフローチャートである。
【図５】図３に示したステップＳ１５での処理の一例を示すフローチャートである。
【図６】図１に示した貯湯式給湯装置から第１の給湯先に単独給湯を行っているときの第１の湯水混合弁の開度と第１の湯水混合弁の下流に配置された温度センサの検知温度との関係の一例を示すグラフである。
【図７】図１に示した貯湯式給湯装置から第１の給湯先と第２の給湯先とに同時給湯を行っているときの第１の湯水混合弁の開度と第１の湯水混合弁の下流に配置された温度センサの検知温度との関係の一例を示すグラフである。
【図８】図７に示した各曲線についての４つの近似線を示すグラフである。
【図９】図８に示した近似線の１つについての第１の給湯先での給湯量を加味していない傾きと第２の湯水混合弁の開度との関係の一例を示すグラフである。
【図１０】図１に示した貯湯式給湯装置での流量係数と第１の湯水混合弁の下流に配置された流量センサにより検知される流量との関係の一例を示すグラフである。
【符号の説明】
【００７２】
１  貯湯タンク
３  給水管路
３ａ〜３ｄ  副給水管路
５  加熱循環管路
７  給湯管路
７ａ，７ｂ  副給湯管路
９ａ  第１の湯水混合弁
９ｂ  第２の湯水混合弁
１１ａ，１１ｂ  流量センサ
１３ａ  水温センサ
１３ｂ  タンク湯温センサ
１３ｃ，１３ｄ  温度センサ
１５  制御部
１７  記憶部
１９  操作部
２０  貯湯式給湯装置
Ａ  熱源ユニット
Ｂ  貯湯ユニット
【図１】
2008292020.tif 000003
【図２】
2008292020.tif 000004
【図３】
2008292020.tif 000005
【図４】
2008292020.tif 000006
【図５】
2008292020.tif 000007
【図６】
2008292020.tif 000008
【図７】
2008292020.tif 000009
【図８】
2008292020.tif 000010
【図９】
2008292020.tif 000011
【図１０】
2008292020.tif 000012